(57)【要約】【課題】紙等のカットとカットした紙などへの糊付けとを同時に行う糊塗布付きカッターを提供する。【解決手段】本体ケース２と、この本体ケース２より突出された刃部３と、本体ケース２より先端が突設され、刃部３の切断方向に沿って糊付きテープ１１で連続的に塗布できる糊塗布部１３とを備え、刃部３及び糊塗布部１３とをそれぞれ本体ケース２内に収納可能に設けた。【選択図】　　　図２
2004018131.tif 000002
【特許請求の範囲】
【請求項１】
本体ケースと、この本体ケースより突出された刃部と、前記本体ケースより先端が突設され、前記刃部の切断方向に沿って糊を連続的に塗布できる糊塗布部とが設けられたことを特徴とする糊塗布付きカッター。
【請求項２】
請求項１記載の糊塗布付きカッターであって、
前記糊塗布部が、前記本体ケース内に収納可能に配設されたことを特徴とする糊塗布付きカッター。
【請求項３】
請求項１又は請求項２記載の糊塗布付きカッターであって、
前記刃部が、前記本体ケース内に収納可能に配設されていることを特徴とする糊塗布付きカッター。
【請求項４】
請求項１〜請求項３記載の糊塗布付きカッターであって、
前記糊塗布部は、糊が塗布されたテープが連続的に供給されるテープ供給経路の一部によって構成され、このテープ供給経路の上流に糊が塗布されたテープを巻き付けた供給ローラと、テープ供給経路の下流にテープを巻き取る巻取ローラとがそれぞれ配設されていることを特徴とする糊塗布付きカッター。
【発明の詳細な説明】
【０００１】
【発明の属する技術分野】
本発明は、紙等のカットと、カットした紙等への糊の塗布とを行う糊塗布付きカッターに関する。
【０００２】
【従来の技術】
紙を所定の形状にカットし、このカットした紙の縁に糊を塗布して紙を糊付けする作業は、良く行われる。そして、従来では、紙のカットは折刃式ナイフ（カッターナイフ）やハサミなどを用い、糊の塗布はスティック糊やテープ式糊などを用いて行っている。
【０００３】
【発明が解決しようとする課題】
従って、紙をカットし、カットした紙に糊付けするのに２種類の道具を用いなければならなず、一連の作業が煩雑であるという問題がある。
【０００４】
そこで、本発明は、前記した課題を解決すべくなされたものであり、紙等のカットとカットした紙などへの糊付けとを同時に行うことができる糊塗布付きカッターを提供することを目的とする。
【０００５】
【課題を解決するための手段】
請求項１の発明は、本体ケースと、この本体ケースより突出された刃部と、前記本体ケースより先端が突設され、前記刃部の切断方向に沿って糊を連続的に塗布できる糊塗布部とが設けられたことを特徴とする。
【０００６】
この糊塗布付きカッターでは、紙等の所定位置に刃部を当て、刃部で紙等をカットしつつ、糊塗布部が刃部の切断方向に沿って糊を連続的に塗布することができる。
【０００７】
請求項２の発明は、請求項１記載の糊塗布付きカッターであって、前記糊塗布部が、前記本体ケース内に収納可能に設けられていることを特徴とする。
【０００８】
この糊塗布付きカッターでは、請求項１の発明の作用に加え、糊塗布部を本体ケース内に収納すれば、紙等のカットのみを行うことができる。
【０００９】
請求項３の発明は、請求項１又は請求項２記載の糊塗布付きカッターであって、前記刃部が、前記本体ケース内に収納可能に設けられていることを特徴とする。
【００１０】
この糊塗布付きカッターでは、請求項１又は請求項２の発明の作用に加え、刃部を本体ケース内に収納すれば、紙等への糊付けのみを行うことができる。
【００１１】
請求項４の発明は、請求項１〜請求項３記載の糊塗布付きカッターであって、前記糊塗布部は、糊が塗布されたテープが連続的に供給されるテープ供給経路の一部によって構成され、このテープ供給経路の上流に糊が塗布されたテープを巻き付けた供給ローラと、テープ供給経路の下流にテープを巻き取る巻取ローラとがそれぞれ配設されていることを特徴とする。
【００１２】
この糊塗布付きカッターでは、請求項１〜請求項３の発明の作用に加え、刃部の移動と共に糊付きテープが糊塗布部に順次供給され、テープに付着された糊が紙等に転移することにより、所定の位置に、且つ均一に糊を塗布することができる。
【００１３】
【発明の実施の形態】
以下、本発明の一実施形態を図面に基づいて説明する。
【００１４】
図１〜図４は本発明の一実施形態を示し、図１は刃部及び糊塗布部が共に収納状態である糊塗布付きカッターの構成図、図２（ａ）は刃部及び糊塗布部が共に突出状態である糊塗布付きカッターの構成図、図２（ｂ）はその要部正面図、図３（ａ）は刃部のみが突出状態である糊塗布付きカッターの構成図、図３（ｂ）はその要部正面図、図４（ａ）は糊塗布部のみが突出状態である糊塗布付きカッターの構成図、図４（ｂ）はその要部正面図である。
【００１５】
図１及び図２（ａ）に示すように、糊塗布付きカッター１は、ユーザが片手で握持できる本体ケース２を有し、この本体ケース２内に刃部３が配置されている。刃部３は、その先端部分をも含めて本体ケース２内に収納される収納位置（図１の位置）と、その先端部分が本体ケース２外に突出される突出位置（図２の位置）との間でスライド自在に設けられ、本体ケース２の外部に配置された第１スライドレバー４によってスライド操作できるようになっている。
【００１６】
又、本体ケース２内にはスライド部材（図示せず）が配置され、このスライド部材には供給ローラ６が固定された第１ギア７と、巻取ローラ８が固定された第２ギア９と、第１ギア７と第２ギア９に共に噛み合う中間ギア１０とが回転自在に支持されている。供給ローラ６には一方の面に糊が塗布されたテープ１１が巻き付けられており、このテープ１１はスライド部材に支持されたガイドピン１２ａ，１２ｂにガイドされることによって所定のテープ供給経路を通った後に巻取ローラ８に巻き取られている。このように構成されたテープ供給経路で、且つ、ガイドピン１２ｂによって本体ケース２より突出された部分が糊塗布部１３として構成されている。この糊塗布部１３は、テープ供給経路の上流に糊付きテープ１１を巻き付けた供給ローラ６を、テープ供給経路の下流にテープ１１を巻き取る巻取ローラ８をそれぞれ有することから、糊付きテープ１１が刃部３から所定距離の位置に連続的に糊を供給するようになっている。つまり、突出状態の糊塗布部１３が紙等に接触された状態にあって、本体ケース２が移動されると、糊塗布部１３のテープ１１が紙等に糊を転写しつつ移動し、この移動力によって供給ローラ６が回転してテープ１１が送り出されると共に、この第１ギア７の回転によって中間ギア１０、第２ギア９が順に回転し、第２ギア９の回転で巻取ローラ８がテープ１１を巻き取ることによって糊塗布部１３には糊付きテープ１１が連続的に供給される。
【００１７】
又、スライド部材（図示せず）は本体ケース２の外部に配置された第２スライドレバー１４によってスライド操作できるようになっており、このスライド操作によって糊塗布部１３が本体ケース２内に収納される収納位置（図１の位置）と、本体ケース２外に突出される突出位置（図２の位置）との間で変移される。
【００１８】
次に、糊塗布付きカッター１の作用を説明する。図１に示すように、刃部３及び糊塗布部１３が共に収納位置にある場合には、図２（ａ）に示すように、第１及び第２スライドレバー４，１４を矢印方向に操作して刃部３及び糊塗布部１３を共に突出位置に位置させる。そして、図２（ｂ）に示すように、紙２０のカットしたい位置に沿って定規２１を載置し、この定規２１に刃部３を当てて定規２１に沿って刃部３を進行方向に移動させる。すると、刃部３で紙２０がカットされると共に、テープ１１がａ矢印方向に移動することによって糊塗布部１３が刃部３の切断方向に沿って糊を連続的に塗布する。従って、紙２０のカットとカットした紙２０への糊付けとを同時に行うことができる。
【００１９】
又、紙２０のカットのみを行う場合には、図３（ａ）に示すように、糊塗布部１３を収納位置に、刃部３を突出位置に位置させる。そして、図３（ｂ）に示すように、紙２０のカットしたい位置に沿って定規２１を載置し、この定規２１に刃部３を当てて定規２１に沿って刃部３を移動させる。すると、刃部３で紙２０がカットされる。
【００２０】
次に、紙２０に糊付けのみを行う場合には、図４（ａ）に示すように、刃部３を収納位置に、糊塗布部１３を突出位置に位置させる。そして、図４（ｂ）に示すように、糊を塗布したい紙２０の位置に沿って糊塗布部１３を移動させる。すると、糊塗布部１３が糊を連続的に塗布する。
【００２１】
以上、この糊塗布付きカッター１では、紙２０等の所定位置に刃部３を当て、刃部３で紙２０等をカットすると、糊塗布部１３が刃部３の切断方向に沿って糊を連続的に塗布するため、紙２０等のカットとカットした紙２０などへの糊付けとを同時に行うことができる。
【００２２】
又、この実施形態の糊塗布付きカッター１では、糊塗布部１３を本体ケース２内に収納し、刃部３を突出位置とすれば、紙２０等のカットのみを行うことができる。つまり、糊塗布付きカッター１をカッターとして使用できる。
【００２３】
又、この実施形態の糊塗布付きカッター１では、刃部３を本体ケース２内に収納し、糊塗布部１３を突出位置とすれば、紙２０等への糊付けのみを行うことができる。つまり、糊塗布付けカッター１を糊塗布文具として使用できる。
【００２４】
更に、この実施形態の糊塗布付きカッター１では、刃部３の移動と共に糊付きテープ１１が糊塗布部１３に順次供給され、テープ１１に付着された糊が紙２０等に転移することによって塗布されるため、カットした紙２０等の所定位置に、糊がはみ出すことなく、且つ、均一に塗布できる。
【００２５】
【発明の効果】
以上説明したように、請求項１の発明によれば、本体ケースと、この本体ケースより突出された刃部と、前記本体ケースより先端が突設された糊塗布部とが設けられているので、紙等の所定位置に刃部を当て、刃部で紙等をカットすると、糊塗布部が刃部の切断方向に沿って糊を連続的に塗布するため、紙等のカットとカットした紙などへの糊付けとを同時に行うことができる。
【００２６】
請求項２の発明によれば、請求項１記載の糊塗布付きカッターであって、糊塗布部が、本体ケース内に収納可能に設けられているので、請求項１の発明の効果に加え、糊塗布部を本体ケース内に収納すれば、紙等のカットのみを行うことができる。つまり、糊塗布付きカッターをカッターとして使用できる。
【００２７】
請求項３の発明によれば、請求項１又は請求項２記載の糊塗布付きカッターであって、刃部が、本体ケース内に収納可能に設けられているので、請求項１又は請求項２の発明の効果に加え、刃部を本体ケース内に収納すれば、紙等への糊付けのみを行うことができる。つまり、糊塗布付けカッターを糊塗布文具として使用できる。
【００２８】
請求項４の発明によれば、請求項１〜請求項３記載の糊塗布付きカッターであって、糊塗布部は、糊が塗布されたテープが連続的に供給されるテープ供給経路の一部によって構成され、このテープ供給経路の上流に糊が塗布されたテープを巻き付けた供給ローラと、テープ供給経路の下流にテープを巻き取る巻取ローラとがそれぞれ配設されているので、請求項１〜請求項３の発明の効果に加え、刃部の移動と共に糊付きテープが糊塗布部に順次供給され、テープに付着された糊が紙等に転移することによって塗布されるため、カットした紙等の所定位置に、糊がはみ出すことなく、且つ、均一に塗布できる。
【図面の簡単な説明】
【図１】本発明の一実施形態を示し、刃部及び糊塗布部が共に収納状態である糊塗布付きカッターの構成図である。
【図２】本発明の一実施形態を示し、（ａ）は刃部及び糊塗布部が共に突出状態である糊塗布付きカッターの構成図、（ｂ）はその要部正面図である。
【図３】本発明の一実施形態を示し、（ａ）は刃部のみが突出状態である糊塗布付きカッターの構成図、（ｂ）はその要部正面図である。
【図４】本発明の一実施形態を示し、（ａ）は糊塗布部のみが突出状態である糊塗布付きカッターの構成図、（ｂ）はその要部正面図である。
【符号の説明】
１　糊塗布付きカッター
２　本体ケース
３　刃部
６　供給ローラ
８　巻取ローラ
１１　テープ
１３　糊塗布部
【図１】
2004018131.tif 000003
【図２】
2004018131.tif 000004
【図３】
2004018131.tif 000005
【図４】
2004018131.tif 000006